(57)【要約】      （修正有）【課題】外袋を傷める虞をなくすため、外袋の内側に付設する内袋を外袋から取り外し、内袋のみを洗浄できる構造の袋物を提供する。【解決手段】外袋２の内側に該外袋２とは別体の内袋３を設け、外袋の裏面を内袋で覆うようにした袋物において、袋物の内袋と外袋との接続境界部を着脱自在に構成し、内袋３を外袋２に対して接続境界部４から取り外し可能とする。【選択図】図３
0003147018.tif 000002
【実用新案登録請求の範囲】
【請求項１】
外袋の内側に該外袋とは別体の内袋を設け、外袋の裏面を内袋で覆うようにした袋物において、
前記袋物の内袋と外袋との接続境界部を着脱自在に構成し、
前記内袋を外袋に対して前記接続境界部から取り外し可能とした、
ことを特徴とする袋物。
【請求項２】
前記袋体の内袋と外袋との接続境界部をオープン式ファスナーで接続し、内袋を外袋の裏面から取り外し可能としたことを特徴とする請求項１に記載の袋物。
【請求項３】
前記内袋の内容積を、前記外袋の内容積よりも若干大きくしたことを特徴とする請求項１又は請求項２に記載の袋物。
【請求項４】
前記外袋と前記内袋の接続境界部には、内袋の接続境界部分を覆うフラップ状の遮蔽片を、外袋の裏面に固着したことを特徴とする請求項１に記載の袋物。
【請求項５】
前記袋体の内袋と外袋との接続境界部を着脱自在に接続するオープン式ファスナーの内袋側の努歯（むし）部分を覆うフラップ状の遮蔽片を、外袋の裏面に固着したことを特徴とする請求項２に記載の袋物。
【考案の詳細な説明】
【技術分野】
【０００１】
本考案は、手提げ袋、買い物袋、手提げバッグ、ハンドバッグ、ショルダーバッグ、小物入れ等の袋物において、内袋を有する袋物の改良に関するものである。
【背景技術】
【０００２】
バッグで、オープン式ファスナーを用いたものは知られている（例えば、特許文献１参照。）。
【特許文献１】実用新案登録第３０９４１０９号公報
【０００３】
引用文献１は、バッグを構成する袋体を提手がついた最上部、中間上部、中間下部、底部等にリング状に分割して形成し、各部分相互をオープン式ファスナーで着脱自在に連結する。
上記した各部の表面の模様等を変えたり等し、最上部と底部との組み合わせ、最上部と中間上部、中間下部、底部との組み合わせ等を選択して接続し、バッグの大きさや模様等を変更可能としたものである。
【０００４】
ところで、各種の手提げ袋やバッグ、買い物袋、小物入れ等の袋物は、外袋は皮革類や体裁の良い布等で構成しているが、外袋の裏面（内面）の汚れを防止するため、内袋を貼設したり縫着している。
袋物内に収納された物は、内袋を介して収納される。
【０００５】
ところで、これらの袋物には、バッグ類では内部に化粧品や財布、筆記用具等を収納し、また、買い物袋では、食料品を含む各種の物品が収納されるが、内袋は、これら収納物品に直接触れる。
この結果、例えば、化粧品の漏洩やキャップの外れによる液漏れ、買い物では、内容物の漏洩等で内袋が汚れる。
また、袋物への物品の出し入れの反復で内袋が汚れたり、内袋の内部に塵埃が侵入し、堆積したり、付着して内袋が汚れる。
【０００６】
そこで、内袋の汚れを落としたい。
しかしながら、内袋は外袋と貼着したり、縫着したり等して外袋と一体化されているため、内袋を洗浄しようとすると、外袋の裏面まで洗浄作用がおよんで、外袋を傷める虞があり、しかも、内袋の洗浄は、外袋と内袋とが一体なので、充分に行い難い。
【考案の開示】
【考案が解決しようとする課題】
【０００７】
本考案は、外袋の内側に内袋を設けた袋物において、外袋の内側に付設する内袋を、外袋の内側に対して着脱自在とし、内袋を外袋から取り外し、内袋を洗浄することができるようにした袋物を提供することを課題とする。
【課題を解決するための手段】
【０００８】
請求項１に係る考案は、外袋の内側に外袋とは別体の内袋を設け、外袋の裏面を内袋で覆うようにした袋物において、袋物の内袋と外袋との接続境界部を着脱自在に構成し、内袋を外袋に対して接続境界部から取り外し可能としたことを特徴とする。
【０００９】
請求項２に係る考案は、請求項１において、袋体の内袋と外袋との接続境界部をオープン式ファスナーで接続し、内袋を外袋の裏面から取り外し可能としたことを特徴とする。
【００１０】
請求項３に係る考案は、請求項１又は請求項２において、内袋の内容積を外袋の内容積よりも若干大きくしたことを特徴とする。
【００１１】
請求項４に係る考案は、請求項１において、外袋と前記内袋の接続境界部には、内袋の接続境界部分を覆うフラップ状の遮蔽片を外袋の裏面に固着したことを特徴とする。
【００１２】
請求項５に係る考案は、請求項２において、袋体の内袋と外袋との接続境界部を着脱自在に接続するオープン式ファスナーの内袋側の努歯（むし）部分を覆うフラップ状の遮蔽片を、外袋の裏面に固着したことを特徴とする。
【考案の効果】
【００１３】
請求項１に係る考案では、袋物の内袋と外袋との接続境界部を着脱自在に構成し、内袋を外袋に対して接続境界部から取り外し可能としたので、内袋を外袋の内側から取り外し、外袋と別にして内袋単体として洗浄することができる。、
従って、内袋を汚れ等が落ちるように洗浄して、清浄に保つことができ、内袋の洗浄を外袋を傷めることなく行うことができ、また、内袋を洗浄し、清潔な内袋を再度外袋に取り付けることができる。
【００１４】
請求項２に係る考案では、請求項１の効果に加えるに、袋体の内袋と外袋との接続境界部をオープン式ファスナーで接続したので、内袋を外袋内側から着脱自在に構成しつつ、ファスナーの閉鎖時には、外袋と内袋の接続部は全面的に閉塞され、接続境界部から外袋内側と内袋との間にゴミや異物の侵入を防止することができる。
【００１５】
請求項３に係る考案では、請求項１又は請求項２の効果に加えるに、内袋の内容積を外袋の内容積よりも若干大きくしたので、内袋を介して物品を袋物内に収納した際、収納物品の嵩や重量は内袋にかかることがなく、外袋にかかり、内袋と外袋との接続境界部、従ってオープン式ファスナーのような接続部材に偏よった荷重が作用せず、内袋と外袋の接続部材を傷めることがなく、寿命、耐久性が向上する。
また、内袋を外袋から取り外し、洗浄の反復で生じる布や縫い糸の縮みにも問題がおきにくい。
【００１６】
請求項４に係る考案では、請求項１の効果に加えるに、外袋と内袋の接続境界部にフラップ状の遮蔽片を外袋の裏面に固着したので、内袋を外袋に対して着脱自在にしつつ、内袋の外面と外袋の内面との間にゴミや異物の侵入を防止することができる。
また、遮蔽片によってファスナーを隠蔽することができるので、外観上、体裁上も良好となる。
【００１７】
請求項５に係る考案では、請求項２の効果に加えるに、袋体の内袋と外袋との接続境界部を着脱自在に接続するオープン式ファスナーの内袋側の努歯部分を覆うフラップ状の遮蔽片を、外袋の裏面に固着したので、内袋を外袋に対してオープン式ファスナーにより着脱自在にしつつ、オープン式ファスナーの努歯部分にゴミや塵埃等の侵入を防止し、オープン式ファスナーの開閉の円滑を保障することができる。
また、内袋の外面と外袋の内面との間にゴミや異物の侵入を防止することができる。
【考案を実施するための最良の形態】
【００１８】
本考案を実施するための最良の形態を添付図に基づいて以下に説明する。なお、図面は符号の向きに見るものとする。
図１は、本考案に係る袋物の一例を示す外観正面図、図２は、図１の２−２線断面図、図３は、外袋から内袋を取り出した状態を示す説明的斜視図である。
これらの図面に従って、本考案の一実施の形態を説明する。
【００１９】
袋物は、実施の形態では手提げ袋１を示している。袋物としては、その他、買い物袋、手提げバッグ、ハンドバッグ、ショルダーバッグ、小物入れ等が実施の対象となる。
手提げ袋１は正面視縦長矩形状の袋体からなる外袋２と、外袋２内に収納され、外袋２の裏面２ａ内に臨む内袋３とからなる（図２参照）。
外袋２の材質は、皮革、布、樹脂シート、紙等で構成される。内袋３の材質は、薄い布等で構成される。
【００２０】
外袋２は、皮革や布等を袋状に縫着等して形成されており、前後の片部２１，２１、左右の片部２２，２２及び底の片部２３を備える。実施の形態では、前後の片部２１，２１の上縁２ｂの開口部２ｃの前後にかかるように逆凹状の手提げ部２４，２４が縫着等して取り付けられている。
具体的には、図２で示した通り、前後の片部２１，２１の各上端部２１ａ，２１ａを内側に折り重ね、折り片２１ｂ，２１の内側に縁取り片２５，２５を重ね、これの上部を折り片２１ｂ，２１ｂの上部に縫着２６する際に、この間に手提げ部２４，２４の下部（基部）２４ａ，２４ａを挟み込み、手提げ部２４，２４を縫着した。縁取り片２５は、外袋２の開口部の内周縁を囲繞するように設けられている。
【００２１】
内袋３は外袋２の裏面２ａ内に収納され、外袋２と容積は異なるが相似形をなす、内袋３は、図２で示した通り、外袋２内に収納される大きさで、薄手の布等で形成されており、前後の片部３１，３１、左右の片部３２，３２及び底の片部３３を備え、高さ（縦寸法）は、外袋２よりも短い（図２、図３参照）。
【００２２】
以上において、外袋２の開口部の下部周辺部と内袋３の上端部とを接続部材で接続し、この接続部材で接続する部分を接続境界部とする。
外袋２と内袋３の双方の接続境界部は、実施の形態ではオープン式ファスナー４で着脱自在（開閉自在）に接続する。
即ち、外袋２の開口部２ｃを囲繞する縁取り片２５の下端部２５ａにオープン式ファスナー４の一方４１を縫着し、内袋３の上端の開口部３ｃの周縁部３ｂにオープン式ファスナー４の他方４２を縫着する。
【００２３】
オープン式ファスナー４の双方４１，４２は、外袋２の上部内周に設けた縁取り片２５の下端周及び内袋３の上端開口部３ｃを囲繞する基片４１ａ，４２ａに努歯（むし）４１ｂ…（…は複数を表す。以下同じ）、４２ｂ…を固着した構造で、双方に係合するスライダー４３を有する。
努歯とは、スライダーの摺動で、係脱するファスナーの爪片をいう。
【００２４】
オープン式ファスナー４は、スライダー４３を摺動させることで、双方４１，４２の努歯４１ｂ，４２ｂが開閉し、オープン式ファスナー４を閉じて努歯４１ｂ，４２ｂ相互を連結したり、連結を外し、内袋３を外袋２内において着脱自在とする。
オープン式ファスナー４の双方４１，４２の努歯４１ｂ，４２ｂが連結し、該ファスナーが閉じた状態を図２は示し、この状態で、内袋３は、これの外側に位置する外袋２のこの部分の大きさよりも若干大きく、外袋２の内部で、余裕をもってだぶつく程度の大きさである。
【００２５】
以上において、内袋３は、外袋２の開口部２ｃの周辺部においてその開口部３ｃがオープン式ファスナー４で連結されており、この状態（図１、図２の状態）で、物品を袋物１内に収納し、物品は内袋３内に触れる。
図２で理解し得るように、外袋２内において内袋３はだぶついた大きさ（容積）であり、内袋３内に物品を収納した際、内袋３内で物品の嵩が大きく、外袋２を含んで袋物１が膨らんでも、内袋３の内容積でこれを吸収し、オープン式ファスナー４の連結部である努歯４１ｂ，４２ｂに変形の荷重がかからない。
【００２６】
また、内袋の収納物品の重量がかかっても、内袋３が重量により伸びることがなく、だぶついた余裕により外袋２の底の片部２３で収納物品の重量を支持し、オープン式ファスナー４の連結部である努歯４１ｂ，４２ｂに偏った荷重がかからない。
従って、内袋３内の収納物の嵩が大きく、袋物が膨らんでも、或いは内袋３内の収納物の重量が大きくても、オープン式ファスナー４を傷めることがない。
【００２７】
以上において、袋物１の上部開口部から内部に手を入れ、スライダー４３を摘み、オープン式ファスナー４の努歯４１ｂ，４２ｂの連結を解除する方向にスライドさせる。これにより、努歯４１ｂ，４２ｂの連結は外れ、オープン式ファスナー４は開放し、スライダー４３は外袋２側に残り、内袋３は外袋２の拘束が解除され、外袋２から内袋３を取り出すことができる。
この状態を図３で示した。これにより、内袋３は外袋２から自由となり、内袋単体として取り出すことができ、内袋３は、それ自身を洗濯等に供することができることとなる。
【００２８】
以上、実施の形態の一例を説明したが、実施の形態では、袋物の開口部はオープン式のものを示したが、開口部に開閉用のファスナーやマグネット式の口金等の開閉具を設けた開閉構造としてもよく、バッグの種類等により袋物の開口部の開放式のもの、開閉式のもの等任意な袋物、バッグに適用することができる。
【００２９】
また、実施の形態では、外袋２と内袋３の接続境界部を接続する部材をオープン式ファスナーとしたが、接続部材はこれに限られない、
即ち、この接続境界部に面ファスナーを設け、面ファスナーで外袋に対し内袋を着脱自在に取り付けても良いし、これに代え、ホックやボタンで内袋を外袋内に着脱自在に接続しても良い。
【００３０】
図４は、上記した実施の形態の他の実施の形態を示す図２と同様の断面図である。
袋物１の基本構造は、上記した実施の形態と同様なので、同一部分には同一符号を付し、説明は省略する。
本実施の形態では、前記した縁取り片２５，２５の下部にフラップ状の遮蔽片５を縫着等して取り付ける。
【００３１】
遮蔽片５は、縁取り片２５，２５の下部にその上部を縫着等して下方に垂下され、上下方向の長さは、オープン式ファスナー４の内側の面を全面的に覆う長さとし、内袋３の開口部３ｃの上部〜上端部の内側に位置して、オープン式ファスナー４を内袋３の開口部上方から隠蔽する。
遮蔽片５は、内袋３の開口部３ｃの内側を、その上端部から上部の全周を囲繞するように設けられている。
これにより、努歯４１ｂ，４２ｂを含むオープン式ファスナー４は隠蔽される。これにより、オープン式ファスナー４の努歯部分にゴミや塵埃等が侵入するのを防止する。
【００３２】
遮蔽片５は、上記した面ファスナーや、ホックやボタンで内袋を外袋内に着脱自在に接続した部材の内袋内面を遮蔽し、これにより、面ファスナーの接合面間に侵入するゴミ等から面ファスナーを保護し、また、ホックやボタンによる接続構造では、外袋と内袋の接続境界部に隙間が生じる虞があり、これらの接続部材間に生じる隙間から外袋２の裏面（内側）と内袋３の表面（外側）との間にゴミ等が侵入する虞があるが、遮蔽片５で接続境界部間に生じる隙間は隠蔽され、内外の袋間にゴミ等が侵入するのを防止することができる。
【００３３】
ところで、実施の形態では、内袋を外袋から取り外し、内袋を洗濯等して清浄化し得ると説明したが、他の用法にも本考案は適用し得るものである。
即ち、例えば、袋物の外面と内面とを別の模様や色彩とし、袋物の内外面を選択して使用するリバーシブル袋物やバッグとして用いることができ、この場合、内袋を外袋から取り外すことができるので、内袋に複数種の模様、色彩、布質等のバリエーションをもたせておき、内袋を選択することで、２種以上、例えば３種、４種のリバーシブルの袋物やバッグとして四季の変化にも対応しつつ楽しむことができる。
また、実用的には、内袋を汚れ等に強い耐水性の材質を選択し、降雨等の悪天候の際に外袋の傷みを避けて内袋を外側にして使用する選択も可能である。
尚、実施の形態では、オープン式ファスナーを一つのファスナーで構成したが、二つ以上のファスナーを用いて実施しても良い。
【産業上の利用可能性】
【００３４】
本考案に係る袋物は、外袋内に内袋を設けた手提げ袋やバッグ等に最適である。
【図面の簡単な説明】
【００３５】
【図１】本考案に係る袋物の一例を示す外観正面図である。
【図２】図１の２−２線断面図である。
【図３】外袋から内袋を取り出した状態を示す説明的斜視図である。
【図４】他の実施の形態を示す図２と同様の断面図である。
【符号の説明】
【００３６】
１…袋物、  ２…外袋、  ３…内袋、  ４…接続境界部を接続する部材であるオープン式ファスナー、  ５…遮蔽片。
【図１】
0003147018.tif 000003
【図２】
0003147018.tif 000004
【図３】
0003147018.tif 000005
【図４】
0003147018.tif 000006